(57)【特許請求の範囲】
【請求項１】
車両に搭載可能なソーラーシステムであって、
直列接続された複数のソーラーセルと、該ソーラーセルに並列に接続された１つのバイパスダイオードとを備えるグループを複数含む、ソーラーパネルと、
前記ソーラーパネルから出力される電流値を計測する電流センサと、
前記ソーラーパネルから出力される電圧値を計測する電圧センサと、
計測された前記電流値及び前記電圧値を受信し、ＭＰＰＴ（最大動作点追従）制御を用いた発電制御を行う制御部と、を有し、
前記制御部は、計測した前記電流値及び前記電圧値の相関を示すＩ‐Ｖ曲線上において、微分コンダクタンスｄｉ／ｄｖが閾値以下の場合に発生する、段差を構成する電圧を算出するように構成され、
前記段差を構成する電圧は、停車中に発生した第１の段差電圧と、走行中に発生した第２の段差電圧とを含み、
前記制御部は、前記第１の段差電圧と前記第２の段差電圧とが一致するかどうかを判定し、
前記第１の段差電圧と前記第２の段差電圧とが一致する場合、前記一致する電圧よりも小さい電圧であって、光起電力が低下したソーラーセルを含むグループでバイパスダイオードがオンになり直列接続する複数のソーラーセルを発電経路から除外する電圧を、動作点電圧として設定し、前記ソーラーパネルの出力電圧を、設定した該動作点電圧に追従させるＭＰＰＴ制御を行う、ことを特徴とする
ソーラーシステム。
【発明の詳細な説明】
【技術分野】
【０００１】
本発明は、移動する車両等に搭載可能なソーラーシステムに関する。
【背景技術】
【０００２】
一般的に、ソーラーパネルの部分的な汚れや落ち葉の堆積等の原因により、ある特定のセルの光起電力が低下した場合、通電により該当セルが抵抗となり、その経路では電力損失が発生する。光起電力が低下したセルに通電を続けると発熱するホットスポット現象が知られており、発熱によるパネルの破損や劣化による特性低下が問題となっていた。
【０００３】
そこで、太陽光発電のＭＰＰＴ（最大電力点追従）制御において、バイパスダイオードにより、光起電力が低下したソーラーセル部分をバイパスすることで、上記問題を解決することが知られている（例えば、特許文献１参照）。
【０００４】
また、ソーラーパネルがある速度を持って移動する車両等に搭載される場合、移動により外部の建物などによる影となる部分が刻々と変化するため、影となるソーラーセルに対してその都度バイパスしようとすると、複雑な制御を必要とすることになる。また、影の影響は一時的であるため、該当セルが発熱することは考えづらかった。
【先行技術文献】
【特許文献】
【０００５】
【特許文献１】特開平０２−０２２８７１号公報
【発明の概要】
【発明が解決しようとする課題】
【０００６】
移動する車両等にソーラーパネルを搭載する場合、光起電力が低下する原因として、上記のように刻々と変化する影による一時的なものと、汚れや落ち葉等の半恒久的な付着物や内部故障等長時間に渡るものと、がある。この際、長時間に渡って光起電力が低下する場合は、発熱によりホットスポットとなる可能性があるが、一時的なものは、発熱に至らない。
【０００７】
しかし、一般的に光起電力が低下した場合、一時的なものと長時間に渡るものとでは、ソーラーパネルの特性として等価であり、判別が困難であった。
【０００８】
そこで、本発明は上記事情に鑑み、長時間に渡り光起電力が低下しているソーラーセルを含む発電経路への通電を回避することで、電力損失を削減し、ホットスポットの発生を抑制する、ソーラーシステムの提供を目的とする。
【課題を解決するための手段】
【０００９】
上記課題を解決するため、本発明の一態様では、車両に搭載可能なソーラーシステムは、直列接続された複数のソーラーセルと該ソーラーセルに並列に接続された１つのバイパスダイオードとを備えるグループを複数含むソーラーパネルと；前記ソーラーパネルから出力される電流値を計測する電流センサと；前記ソーラーパネルから出力される電圧値を計測する電圧センサと；計測された前記電流値及び前記電圧値を受信し、ＭＰＰＴ（最大動作点追従）制御を用いた発電制御を行う制御部と；を有し、前記制御部は、計測した前記電流値及び前記電圧値の相関を示すＩ‐Ｖ曲線上において、微分コンダクタンスｄｉ／ｄｖが閾値以下の場合に発生する、段差を構成する電圧を算出するように構成され、前記段差を構成する電圧は、停車中に発生した第１の段差電圧と、走行中に発生した第２の段差電圧とを含み、前記制御部は、前記第１の段差電圧と前記第２の段差電圧とが一致するかどうかを判定し、前記第１の段差電圧と前記第２の段差電圧とが一致する場合、前記一致する電圧よりも小さい電圧であって、光起電力が低下したソーラーセルを含むグループでバイパスダイオードがオンになり直列接続する複数のソーラーセルを発電経路から除外する電圧を、動作点電圧として設定し、前記ソーラーパネルの出力電圧を、設定した該動作点電圧に追従させるＭＰＰＴ制御を行うことを特徴とする。
【００１０】
第１の段差を構成する電圧値と第２の段差を構成する電圧値とが一致するかどうか判定することにより、ソーラーセルにおける光起電力の低下が、一時的なものであるか長時間に渡るものであるかを判別することができる。
【００１１】
また、ＭＰＰＴ制御において、前記一致する電圧よりも小さい電圧を、動作点電圧として設定し、追従制御させる。ここで、動作点電圧は、第１の段差及び第２の段差を構成する電圧値よりも小さい電圧であって、光起電力が低下したソーラーセルを含むグループにおいて、バイパスダイオードがオンになり直列接続する複数のソーラーセルを発電経路から除外する電圧に相当する。ソーラーパネルの出力電圧を、設定した該動作点電圧に追従させるＭＰＰＴ制御を行うことで、長時間に渡り光起電力が低下したソーラーセルがホットスポットになることを回避することができる。
【発明の効果】
【００１２】
一態様によれば、ソーラーシステムにおいて、長時間に渡り光起電力が低下しているソーラーセルを含む発電経路への通電を回避することで、電力損失を削減し、ホットスポットの発生を抑制することができる。
【図面の簡単な説明】
【００１３】
【図１】本発明の全体図。
【図２】ソーラーセルの電圧と電流の説明図。
【図３】バイパスダイオードを設けた、ソーラーパネルのおける電流と電圧の説明図。
【図４】制御フローチャート。
【図５】段差電圧の算出の詳細フローチャート及び算出グラフ。
【発明を実施するための形態】
【００１４】
以下、図面を参照して本発明を実施するための形態について説明する。
【００１５】
図１に本発明の実施形態に係るソーラーシステムの一例を示す。本ソーラーシステム１０００は、ある速度を持って移動する例えば、車両用に搭載されることを要件とする。
【００１６】
本ソーラーシステム１０００は、ＭＰＰＴ（Maximum Power Point Tracking：最大電力点追従）制御を用いた発電制御を行うソーラーシステムである。ＭＰＰＴ制御は、気象条件等の変化で常に変化する最適動作点（多くは最大電力）に追従しながら動作するため、夫々の気象条件下で、常に太陽電池から最大の電力を取り出すことができる。
【００１７】
ソーラーシステム１０００は、ソーラーパネル１００、ＤＣ‐ＤＣコンバータ２００、電流センサ２１０、電圧センサ２２０、及びコントローラ３００を備える。
【００１８】
ソーラーパネル１００は、複数のソーラーセル（太陽電池）Ｃ１，Ｃ２,・・・Ｃｘと、バイパスダイオードＤ１，Ｄ２と、を備える。
【００１９】
ソーラーパネル１００では、複数のソーラーセルＣ１，Ｃ２,・・・Ｃｘは直接接続されたストリング構成となっている。バイパスダイオードＤ１，Ｄ２で区切られたストリングの最小単位をクラスタ（サブストリング，グループ）Ａ、Ｂと呼ぶ。
【００２０】
なお、図１中では、ソーラーパネル１００において、クラスタ及び対応するバイパスダイオードを２個設ける例を示しているが、クラスタ及びバイパスダイオードは３個以上設けてもよい。
【００２１】
電流センサ２１０はソーラーパネル１００から出力される電流を計測する。電圧センサ２２０はソーラーパネル１００から出力される電圧をセンシングする。
【００２２】
コントローラ（制御部）３００は、電流センサ２１０で計測した電流値と、電圧センサ２２０で計測した電圧値とを受信し、ＤＣ‐ＤＣコンバータ２００への駆動指令を実施する。詳しくは、コントローラ３００は、ハードウエア又はプログラムによるソフトウエアにおいて、段差電圧算出部３１０、記憶部３２０、比較・判定部３３０、及びＤＵＴＹ設定部３４０を備える。
【００２３】
段差電圧算出部３１０は、電流センサ２１０及び電圧センサ２２０で測定されたソーラーパネル１００から出力される電流値及び電圧値の相関を示すＩ−Ｖ曲線から、段差電圧を算出する。
【００２４】
記憶部３２０は、停車中（停止中）の段差電圧（第１の段差電圧群の各電圧値）、及び走行中の段差電圧（第１の段差電圧群の各電圧値）を保存する。
【００２５】
比較・判定部３３０は、停車中の段差電圧（第１の段差電圧）群の各電圧値と走行中の段差電圧（第２の段差電圧）群の各電圧値とを比較し、同じ段差電圧値が存在するかを判定する。
【００２６】
ＤＵＴＹ設定部３４０は、第１の段差電圧と第２の段差電圧とが一致すると判定された場合は、ＤＣ‐ＤＣコンバータ２００へ送信する信号のＤＵＴＹを制御する。
【００２７】
ＤＣ‐ＤＣコンバータ２００は、ソーラーパネルから給電対象へ電圧変換を実施する。また、ＤＣ‐ＤＣコンバータ２００は、ＤＵＴＹ設定部３４０から送信された信号に応じて、ＤＣ‐ＤＣコンバータ２００への入力電圧を制御することで、ソーラーパネル１００に接続させる負荷の電圧を制御することになる。これにより、ソーラーパネル１００からの出力電圧を制御して、ソーラーパネル１００からの出力電力を最大化して取り出して、車両の電装等の供給先４００へ供給する。
【００２８】
ソーラーパネルにおいて、起電圧が低下した又は発電していないソーラーセル（Ｄａｒｋセルともいう）は、抵抗となる。該当するソーラーセルに無理に電流を流すと、そのセルを破損しまったり、発熱によりホットスポットとなったりする。
【００２９】
ソーラーセルの起電力が低下する場合に起こる現象について詳述する。図２（ａ）は、１つのソーラーセルの等価回路を示す。
【００３０】
図２において、（ｂ）は（ａ）の単一のソーラーセルで得られるＩ−Ｖ曲線、（ｃ）は単一のソーラーセルの起電力が低下した場合（Ｄａｒｋセルとなった場合）で得られるＩ−Ｖ曲線を示す。
【００３１】
図２（ｃ）では、Ｄａｒｋセルが存在しないときを破線、Ｄａｒｋセルが存在するときを実線で示す。図２（ｃ）に示すように、単一のソーラーセルの起電力が低下した場合、電流ｉｒｒを流そうとすると、電圧が低下（ドロップ）する。
【００３２】
ここで、ソーラーパネルにバイパスダイオードを設けず、複数ソーラーセルを接続する場合（例えば、図１の１つのクラスタ内等）の、電圧及び電流の変化について説明する。
【００３３】
図２の（ｄ）に複数のソーラーセルが直列に接続される場合に得られるＩ‐Ｖ曲線、（ｅ）に複数のソーラーセルのうちの１つがＤａｒｋセルとなった場合のＩ−Ｖ曲線、（ｆ）に（ｅ）の状態から遷移した後のＩ−Ｖ曲線を示す。
【００３４】
図２（ｅ）では、Ｄａｒｋセルが存在しないときを破線、Ｄａｒｋセルが存在するときを実線で示す。このとき、ｖ１は大きいため、１つのセルの起電力が低下すると、（ｅ）から（ｆ）の状態に遷移して、全体の発電効率が低下する。
【００３５】
この問題を解消するように、ソーラーパネル１００において、バイパスダイオードは直列接続されたソーラーセル対して、クラスタ毎に並列に接続されている。図３を用いて、ソーラーパネルでのバイパスダイオードの働きについて説明する。
【００３６】
図３において、（ａ）は図１のソーラーパネル１００における電流の流れを示す。（ｂ）ソーラーパネルのＡ部分のＩ‐Ｖ曲線（電圧・電流特性グラフ）を示し、（ｃ）はソーラーパネルのＢ部分のＩ‐Ｖ曲線を示し、（ｄ）は、ソーラーパネルのクラスタＡとＢとの合計のＩ‐Ｖ曲線を示し、（ｅ）は（ｄ）の状態から遷移した後のＩ‐Ｖ曲線を示す。
【００３７】
ここで、図３（ｅ）において、クラスタＡ内では降伏電圧Ｖｆａｌｌが負に出力する。詳しくは、ストリングを構成するソーラーセルが直列で接続されているために、電流は各ソーラーセル共通となる。発生電流能力が低いセルがストリング中にある場合、ＭＰＰＴで決まる最大動作点に対応する動作点電流値がそのセルの短絡電流値よりも大きい場合、セルの動作点はマイナス電圧側で均衡する。電圧がマイナスなので電力発生ではなく電力消費（発熱）となる。
【００３８】
該当するソーラーセルは電圧がマイナスなので、無理に電流を流すと、そのソーラーセルが破損するおそれがある。また、他のソーラーセルが発電した電流を、そのセルが消費してしまうので、図２（ｆ）同様に、Ｄａｒｋセルを含むクラスタＡ全体の効率を低下させる。
【００３９】
ここで、クラスタＡ内の電圧がバイパスダイオードの順方向電圧Ｖｆ以下になると、バイパスダイオードの順方向に通流される。
【００４０】
バイパスダイオードがオン状態になるためには、前述したような、電流能力の低いソーラーセルの両端電圧が、そのセル以外のクラスタを構成するソーラーセルの発生電圧より高い必要がある。例えば、１クラスタを２０セルの直列で構成している場合、その中の１セルの端子電圧が他の１９セルの順方向電圧の合計電圧より高くない場合、バイパスダイオードはオン状態にならずホットスポットとなる。
【００４１】
したがって、クラスタＡのバイパスダイオードを機能させるため、追従させる動作点電圧を、（Ｂ部分の総電圧）＋（バイパスダイオードＤ１の順方向電圧Ｖｆ）以下となるように制御すると好適である（図４、Ｓ３）。
【００４２】
このように、発電しないセル（Ｄａｒｋセル）があった場合に、そのセルを含むサブストリングの電圧が負になることで、ストリング単位でバイパスし、発電しないソーラーセルではなく、バイパスダイオードを通って電流が流れる。これにより、Ｄａｒｋセルへの通電を除外し、ソーラーセルの温度が上昇し、破損や発火につながるホットスポットの発生を回避できる。
【００４３】
下記、本発明のソーラーシステム１０００における制御について説明する。図４に本発明における制御の概略フローチャートを示す。
【００４４】
図５に、段差電圧の算出の詳細フローチャート及び算出グラフを示す。図５において、（ａ）は、電圧・電流特性グラフ（Ｉ−Ｖ曲線）、（ｂ）電圧・電力特性グラフ（Ｐ−Ｖ曲線）、（ｃ）は、電圧・微分コンダクタンス特性グラフ（ｄｉ／ｄｖ−Ｖ曲線）、（ｄ）は、図４のＳ２の判定で用いる、段差電圧の算出の詳細フローチャートを示す。
【００４５】
図４のフローチャートのＳ１で、車両が走行する際、所定の速度（Ｓｔｈ）になったら、Ｓ２へ進む。
【００４６】
Ｓ２において、コントローラ３００の比較・判定部３３０は、保存した停車中の段差電圧（第１の段差）群の各電圧値と、走行中の段差電圧（第２の段差）群の各電圧値とが一致するかどうか（一致するものが存在するかどうか）を判定する。
【００４７】
ここで図５を用いて、図４のＳ２の判定で用いる、停車中（車両の速度がゼロで停車しているとき）の段差電圧｛ｖｓｔｏｐ［ｉ］｝演算・保存について説明する。
【００４８】
まず、図５（ｄ）のＳ１１で、コントローラ３００の段差電圧算出部３１０は、電流センサ２１０及び電圧センサ２２０で計測した、ソーラーパネル１００からの出力電流及び出力電圧を受信する（取得する）（Ｓ１１）。
【００４９】
そして、受信した電流値及び電圧値から得られる、（ａ）電圧・電流特性（Ｉ−Ｖ曲線）から、（ｂ）電圧・電力特性（Ｐ−Ｖ曲線）、及び（ｃ）電圧・微分コンダクタンス特性（ｄｉ／ｄｖ−Ｖ曲線）を算出する（Ｓ１２）。
【００５０】
ここで、一般的なＭＰＰＴ方式である山のぼり法を用いると、（ｂ）のＰ−Ｖ曲線において点線に示すように、電力のピーク値Ｐｍａｘを、追従の対象である最大動作点と設定する。そして、この電力のピーク値Ｐｍａｘに対応する電圧値（Ｖｍａｘ）前後で、電圧値が行き来するように（例えば、ＶＰ１〜ＶＰ２の間）、電圧変化量ΔＶの符号を反転させながら電力を調整する。
【００５１】
しかし、部分的な影（Ｄａｒｋセル）が発生していると、（ｂ）のＰ−Ｖ曲線の実線で示すように、電力はピーク値Ｐｍａｘに到達しない。
【００５２】
Ｓ１３にて、段差電圧算出部３１０は、（ｃ）ｄｉ／ｄｖ−Ｖ曲線において、微分コンダクタンスｄｉ／ｄｖが閾値Ｔｈ１を下回った場合、影等により、ソーラーパネル１００で起電力が低下し、（ａ）Ｉ−Ｖ曲線において段差が発生したと判定する。
【００５３】
この際、微分コンダクタンスｄｉ／ｄｖの閾値Ｔｈ１の下回りが発生する際、最も変化が大きい点（即ち、グラフ（ｃ）で最下点）を、対応する電圧（段差電圧）として保存する（Ｓ１４）。
【００５４】
ここで、ソーラーパネルにおいて、図１に示す例では、グループ（クラスタ）は２つの例を示しているが、クラスタが３つ以上接続されている場合などで、ｄｉ／ｄｖ−Ｖ曲線において、ｄｉ／ｄｖ（電流の電圧微分、微分コンダクタンス）が閾値Ｔｈ１を下回るような変化が発生する段差電圧が複数発生することがある。この場合は、段差電圧の組として全て該当する電圧値を記憶部３２０で保存する。
【００５５】
このように、停車中に発生するｉ個の段差電圧（第１の段差電圧）ｖ１，ｖ２，ｖ３，・・・Ｖｉをまとめて第１の段差電圧群ｖｓｔｏｐ［ｉ］とする。
【００５６】
図５（ｄ）に示す段差電圧の演算及び保存は、走行中（車両の速度が一定以上で動作しているとき）の段差電圧の演算及び保存にも適用可能である。なお、走行中の段差電圧を演算する際は、図４のＳ１のように、車両の走行速度が所定値（Ｓｔｈ）以上になってから、Ｓ１１のソーラーパネルから出力される電流値及び電圧の出力値の測定を開始する点が異なる。その他の動作は図５（ｄ）と同様である。
【００５７】
走行中に発生するｊ個の段差電圧（第２の段差電圧）ｖ１，ｖ２，ｖ３，・・・Ｖｊをまとめて第２の段差電圧群ｖｍｏｖｅ［ｊ］とする。
【００５８】
図４のＳ２において、図５（ｄ）の方法で演算、保存した第１の段差を構成する電圧値と、第２の段差を構成する電圧値の一部あるいは全部が一致すると判定場合、即ち、共通する電圧Ｖｈｏｔｓｐｏｔが存在するか判定する。詳しくは、停車中の微分コンダクタンスｄｉ／ｄｖの閾値Ｔｈ１の下回りの発生箇所に対応する電圧の組Ｖｓｔｏｐ［ｉ］と、走行中のｄｉ／ｄｖの閾値Ｔｈ１の下回りの発生箇所に対応する電圧の組Ｖｍｏｖｅ［ｊ］と一致するかどうか（一致するものがあるかどうか）判定する。
【００５９】
車両の走行中及び停車中の両方で、ソーラーパネル１００の出力特性を示すＩ−Ｖ曲線で段差が存在するということは、それは、ソーラーセルＣ１，Ｃ２，・・・Ｃｘにおける光起電力の低下が、一時的なものではなく、長時間に渡るものであることを意味する。例えば、外部の建物の影響ではなく、ソーラーパネルに付着し、車両と同一の速度で移動する物体による長時間に渡る部分影（半恒久的な影）と言える。
【００６０】
そのため、第１の段差電圧と第２の段差電圧とで一致するものが存在すると判定する場合は、光起電力の低下が長時間に渡るものであることを意味するため、ホットスポットが発生している又はホットスポットを発生させるおそれがあるとみなす（Ｓ２）。従って、ホットスポットの発生を回避させるための、下記のＳ３の制御を実施する。
【００６１】
Ｓ３では、ソーラーパネル１００への電圧を入力する際、制御位置を移動した（追従する動作点電圧を変更した）、ＭＰＰＴを制御する。即ち、光起電力が低下したセルを含む、グループで、バイパスダイオードを働かせるように、動作点電圧をより低い電圧へ設定変更する。
【００６２】
この場合、ユーザー（車両の乗組員）に通知する（Ｓ４）。
【００６３】
他方、Ｓ２の判定において、第１の段差電圧と第２の段差電圧の一致がなく、ホットスポットを発生させないと判定する場合（ＮＯ）、通常のＭＰＰＴ制御を実施する（Ｓ５）。
【００６４】
詳しくは、通常の最大電力点追従（ＭＰＰＴ）制御では、図５（ｂ）に示す、山型の点線で示す電力の最大点Ｐｍａｘに対応する電圧Ｖｍａｘを、最適な動作点電圧と設定して、ソーラーパネル１００の出力電圧を、その動作点電圧に追従させるように制御しながら発電させる（図４のＳ５）。
【００６５】
一方、Ｓ３では、ホットスポットの発生を回避させるために、図５（ｂ）の実線で示す電力の最大値Ｐｍｐｐに対応する電圧ではなく、図５（ｂ）の停車中と走行中で共通の段差電圧Ｖｈｏｔｓｐｏｔ（複数存在する場合はＶｈｏｔｓｐｏｔの最小値（例えば図中ｖ１）以下の電圧の動作点（最適な動作点Ｖｏｐ）で追従制御させる。
【００６６】
この動作点の電圧は、長時間に渡り光起電力が低下したソーラーセルを含むグループで、バイパスダイオードがオンになり、直列接続する複数のソーラーセルを発電経路から除外する電圧である。これにより、ホットスポットの元となる損失を発生させない制御を実施となる。
【００６７】
このように、第１の段差及び第２の段差で一致する電圧値よりも小さい電圧を動作点電圧と設定して、ソーラーパネル１００の出力電圧をその動作点電圧に追従させることで、バイパスダイオードを作用させ、汚れ等が付着した発電経路を回避して発電制御を実行することになる。そのため、このようなＭＰＰＴ制御を行うことで、電力損失を抑えることができる。
【００６８】
ここで、ＭＰＰＴ制御において、ソーラーパネル１００を、Ｖｈｏｔｓｐｏｔ以下の動作点電圧で動作させるためには、コントローラ３００のＤＵＴＹ設定部３４０において、ＤＣ‐ＤＣコンバータ２００に印加する信号のＤＵＴＹを変化させるだけでよく、特別な構成を必要とするものではない。
【００６９】
上記のように、発明の制御では、停車中の段差電圧と走行中の段差電圧とが一致するかどうか判定することで、ソーラーセルにおける光起電力の低下が、一時的なものであるか、長時間に渡るものであるかを判別することができる。さらに、光起電力の低下が長時間に渡るものであると判定した場合、ＭＰＰＴ制御の追従位置である動作点電圧を、バイパスダイオードを働かせる電圧へ移動させることで、光起電力の低下したソーラーセルを発電経路から除外し、ホットスポットの発生を回避することができる。
【００７０】
なお、図５（ｄ）に示すような、Ｉ‐Ｖ曲線から算出される、ｄｉ／ｄｖ‐Ｖ曲線において、ｄｉ／ｄｖ（電流の電圧微分、微分コンダクタンス）が閾値Ｔｈ１を下回るような変化が発生する段差電圧の組（ｖ１、ｖ２、・・・ｖｉ）及び（ｖ１、ｖ２、・・・ｖｊ）を保存する動作は、定期的に実施すると好適である。また、第１の段差電圧と第２の段差電圧とが一致するかどうか判定し、ＭＰＰＴにおける設定値を調整するかどうかを判断する図４の全体動作も、定期的に実施すると好適である。
【００７１】
停車中と走行中とで変化しなかったＤａｒｋセルであっても、ソーラーパネルが移動する車両に搭載される場合は外的要因により、変化することがあるからである。例えば、新たなＤａｒｋセルの発生として落ち葉の堆積や異物（虫や鳥の糞等）の付着やセル自身の故障、Ｄａｒｋセルの消滅として、雨等による落ち葉や付着物の除去が想定しうる。このようにソーラーパネルにおいて、停車中と走行中の特性を定期的に検出し、比較することで、Ｄａｒｋセルの発生状態の変化を検出して、ＭＰＰＴ制御へ反映することができる。
【００７２】
以上、ソーラーシステムを実施形態により説明したが、本発明は上記実施形態に限定されるものではなく、本発明の範囲内で種々の変形及び改良が可能である。
【符号の説明】
【００７３】
１０００  システム
１００  ソーラーパネル
２００  ＤＣ‐ＤＣコンバータ
２１０  電流センサ
２２０  電圧センサ
３００  コントローラ（制御部）
３１０  段差電圧算出部
３２０  記憶部
３３０  比較・判定部
３４０  ＤＵＴＹ設定部
４００  給電先
Ａ，Ｂ  クラスタ（サブストリング、動作単位、グループ）
Ｃ１，Ｃ２，Ｃ３，・・・Ｃｘ  ソーラーセル（太陽電池）
Ｄ１，Ｄ２  バイパスダイオ―ド
ｖｓｔｏｐ［ｍ］  第１の段差電圧の組（停車中の段差電圧）
ｖｍｏｖｅ［ｎ］  第２の段差電圧の組（走行中の段差電圧）
Ｖｈｏｔｓｐｏｔ  共通の段差電圧（最小値）
Ｖｍａｘ  最大動作点
Ｖｏｐ  動作点電圧
【図１】
0006601280.tif 000002
【図２】
0006601280.tif 000003
【図３】
0006601280.tif 000004
【図４】
0006601280.tif 000005
【図５】
0006601280.tif 000006